(57)【要約】【課題】ディスク枚数を減じて構造を簡易にしコストを低減するとともに、スクリーンに捕捉された浮遊物やし渣を剥離しやすくし、水路の下流方向へ容易に流出するようにしたディスクスクリーン装置を提供すること。【解決手段】複数の円板１１を偏心して駆動軸１２に固定した複数の並列する回転円板スクリーンユニット１と、回転円板スクリーンユニット１の各円板１１をスクリーン目２１に回転可能に収容するバースクリーン２とを備える。【選択図】図１
2008280669.tif 000002
【特許請求の範囲】
【請求項１】
複数の円板を偏心して駆動軸に固定した複数の並列する回転円板スクリーンユニットと、該回転円板スクリーンユニットの各円板をスクリーン目に回転可能に収容するバースクリーンとを備えたことを特徴とするディスクスクリーン装置。
【請求項２】
円板の偏心の位相を、隣接する回転円板スクリーンユニットで異なるようにしたことを特徴とする請求項１記載のディスクスクリーン装置。
【発明の詳細な説明】
【技術分野】
【０００１】
本発明は、ディスクスクリーン装置に関し、特に、ディスク枚数を減じて構造を簡易にしコストを低減するとともに、スクリーンに捕捉された浮遊物やし渣を剥離しやすくし、水路の下流方向へ容易に流出するようにしたディスクスクリーン装置に関するものである。
【背景技術】
【０００２】
例えば、農業用水の取水口には、河川を流下する粗大な浮遊物を除去しつつ、連続的に取水するためにスクリーンを設置している。
このような目的に用いられるスクリーンとしては、鉄棒等を一定間隔で配列固定したバー式スクリーンか、網を張設したネット式スクリーンがほとんどであるが、河川を流下する粗大浮遊物は、スクリーン目より大きいことから、流水路内に流入することができず、取水口の吸い込み水流によりスクリーン面に捕捉され付着した状態となる。
この粗大浮遊物が一旦スクリーン目に付着すると、この粗大浮遊物を介して小さな浮遊物までが同時に付着するようになり、これが次第に成長すると、やがてスクリーンに目詰まりが生じ、取水能力が著しく低下したり、取水不能に陥ったりすることになる。
【０００３】
一方、この粗大浮遊物の付着を防止することを目的として、例えば、特許文献１に開示されるようなディスクスクリーン装置が提案されている。
ディスクスクリーン装置は、図２に示すように、多数の円板３１を同軸に駆動軸３２に固定した多重回転円板式のスクリーンユニット３を、該スクリーンユニット３の円板３１の間隙間に隣接するスクリーンユニット３の円板３１が挿入されるように並設したものからなり、円板３１が固定された駆動軸３２を回転駆動することによって、スクリーンに張り付いた粗大浮遊物を強制的に水路主流の下流方向へ流下させ、スクリーンの目詰まりを防止する。
【０００４】
しかしながら、この従来のディスクスクリーン装置は、多数の円板を同軸に駆動軸に固定した複数のスクリーンユニットを必要とすることから、ディスクの枚数が多大になるとともに構造が複雑になって、コスト高を招くという問題を有している。
【特許文献１】特開２００２−８８７４２号公報
【発明の開示】
【発明が解決しようとする課題】
【０００５】
本発明は、上記従来のディスクスクリーン装置が有する問題点に鑑み、ディスク枚数を減じて構造を簡易にしコストを低減するとともに、スクリーンに捕捉された浮遊物やし渣を剥離しやすくし、水路の下流方向へ容易に流出するようにしたディスクスクリーン装置を提供することを目的とする。
【課題を解決するための手段】
【０００６】
上記目的を達成するため、本発明のディスクスクリーン装置は、複数の円板を偏心して駆動軸に固定した複数の並列する回転円板スクリーンユニットと、該回転円板スクリーンユニットの各円板をスクリーン目に回転可能に収容するバースクリーンとを備えたことを特徴とする。
【０００７】
この場合において、円板の偏心の位相を、隣接する回転円板スクリーンユニットで異なるようにすることができる。
【発明の効果】
【０００８】
本発明のディスクスクリーン装置によれば、複数の円板を偏心して駆動軸に固定した複数の並列する回転円板スクリーンユニットと、該回転円板スクリーンユニットの各円板をスクリーン目に回転可能に収容するバースクリーンとを備えることから、回転円板スクリーンユニットの駆動軸間隔を広げ、駆動軸間はバースクリーンで浮遊物やし渣を捕捉する構造とすることにより、ディスク枚数を減じて構造を簡易にしコストを低減するとともに、回転する円板をスクリーン面に対し出入りする構造とすることにより、バースクリーンに捕捉された浮遊物やし渣を剥離しやすくし、水路の下流方向へ容易に流出することができる。
【０００９】
また、円板の偏心の位相を、隣接する回転円板スクリーンユニットで異なるようにすることにより、スクリーン面に出入りする円板を水流方向で交互にし、バースクリーンに捕捉された浮遊物やし渣をより剥離しやすくすることができる。
【発明を実施するための最良の形態】
【００１０】
以下、本発明のディスクスクリーン装置の実施の形態を、図面に基づいて説明する。
【実施例１】
【００１１】
図１に、本発明のディスクスクリーン装置の一実施例を示す。
このディスクスクリーン装置は、複数の円板１１を偏心して駆動軸１２に固定した複数の並列する回転円板スクリーンユニット１と、該回転円板スクリーンユニット１の各円板１１をスクリーン目２１に回転可能に収容するバースクリーン２とを備え、例えば、水路から分岐する取水口を覆うように、駆動軸１２を縦にした状態で設置される。
【００１２】
回転円板スクリーンユニット１は、複数の円板１１をバースクリーン２の目幅で駆動軸１２に串刺し状に固定したものからなり、駆動軸１２は回転円板スクリーンユニット１の各円板１１を同じ偏心した位置で貫通している。
本実施例では、この回転円板スクリーンユニット１を複数本用い、各回転円板スクリーンユニット１の円板１１がバースクリーン２のスクリーン目２１に回転可能に収まるように一定間隔で並列している。
また、本実施例では、隣接する回転円板スクリーンユニット１で、円板１１の偏心の位相が１８０°異なるようにセッティングされており、各回転円板スクリーンユニット１は、駆動装置によりこの位相を保ちながら同じ回転数で同じ方向に回転する。
これにより、スクリーン面に出入りする円板１１を水流方向で交互にし、バースクリーン２に捕捉された浮遊物やし渣をより剥離しやすくしている。
【００１３】
バースクリーン２は、複数のスクリーンバー２２を並列するとともに、各スクリーンバー２２を一定間隔でディスタントピース２３により連結しており、スクリーンバー２２とディスタントピース２３で区画した各スクリーン目２１に、回転円板スクリーンユニット１の各円板１１をそれぞれ回転可能に収容している。
本実施例では、最も没入したときの円板１１とバースクリーン２の表面とが面一になるように、また、円板１１が最も突出したときにバースクリーン２の表面からその直径の１／４〜１／６が出るように、駆動軸１２を位置決めしている。
これにより、回転する円板１１をスクリーン面に対し出入りする構造とし、バースクリーン面で捕捉された浮遊物やし渣を円板１１の回転によりスクリーン面より剥離し、これらを水路の下流方向へ流出しやすい構造としている。
【００１４】
かくして、本実施例のディスクスクリーン装置は、複数の円板１１を偏心して駆動軸１２に固定した複数の並列する回転円板スクリーンユニット１と、該回転円板スクリーンユニット１の各円板１１をスクリーン目２１に回転可能に収容するバースクリーン２とを備えることから、回転円板スクリーンユニット１の駆動軸間隔を広げ、駆動軸間はバースクリーン２で浮遊物やし渣を捕捉する構造とすることにより、ディスク枚数を減じて構造を簡易にしコストを低減するとともに、回転する円板１１をスクリーン面に対し出入りする構造とすることにより、バースクリーン２に捕捉された浮遊物やし渣を剥離しやすくし、水路の下流方向へ容易に流出することができる。
【００１５】
また、円板１１の偏心の位相を、隣接する回転円板スクリーンユニット１で異なるようにすることにより、スクリーン面に出入りする円板１１を水流方向で交互にし、バースクリーン２に捕捉された浮遊物やし渣をより剥離しやすくすることができる。
【００１６】
以上、本発明のディスクスクリーン装置について、その実施例に基づいて説明したが、本発明は上記実施例に記載した構成に限定されるものではなく、スクリーンの幅や高さを広げるなど、その趣旨を逸脱しない範囲において適宜その構成を変更することができる。
【産業上の利用可能性】
【００１７】
本発明のディスクスクリーン装置は、ディスク枚数を減じて構造を簡易にしコストを低減するとともに、スクリーンに捕捉された浮遊物やし渣を剥離しやすくし、水路の下流方向へ容易に流出させるという特性を有していることから、例えば、水路の取水口のスクリーンの用途に広く好適に用いることができる。
【図面の簡単な説明】
【００１８】
【図１】本発明のディスクスクリーン装置の一実施例を示し、（ａ）はその平面図、（ｂ）は同正面図である。
【図２】従来のディスクスクリーン装置を示す平面図である。
【符号の説明】
【００１９】
１    回転円板スクリーンユニット
１１  円板
１２  駆動軸
２    バースクリーン
２１  スクリーン目
２２  スクリーンバー
２３  ディスタントピース
【図１】
2008280669.tif 000003
【図２】
2008280669.tif 000004